(57)【要約】【課題】パチンコ機等の遊技機で遊技する遊技者近辺および隣席の喫煙や呼気によるタバコの煙・酒気・口臭等の悪臭を積極的に吸引し，遊技者に不快感を与えない様にし，紙フィルターを吸引口に，オゾン発生部を吸引口近くに設けることによって装置内のタバコの煙等による汚れを防止すると共に臭気物質とオゾンを完全混合して放出することにより遊技場内の脱臭及び防汚を行い、遊技者が快適に遊技できるようにする．【解決手段】遊技機等の横に遊技機とは別の縦長の風洞を設け、風洞内部に設けた遠心ブロアーにより，遊技機等の横に位置する吸引口より汚染空気を吸引し，風洞内部の吸引口後方に設けたオゾン発生部より発生するオゾンガスと吸引された汚染空気を混合して風洞上方の排出口より上方に向けて放出することを特徴とする汚染空気吸引清浄装置複数台による遊技空間内における浄化システムを形成することである．【選択図】図３
2004125292.tif 000002
【特許請求の範囲】
【請求項１】
パチンコ機あるいはスロット機など（以後遊技機等と称する）の横に遊技機等とは別の縦長の風洞を設け，該風洞内部に遠心ブロアーによる吸引機構を設け遊技機等の横に位置する吸引口より周囲の臭気等の汚染空気を吸引し，風洞内部の吸引口後方に設けたオゾン発生部より発生するオゾンガスと吸引された汚染空気を混合して風洞上方の排出口より上方に向けて放出することを特徴とする汚染空気吸引清浄装置．
【請求項２】
遊技機等の横に設置された汚染空気吸引清浄装置において，風洞正面の鉛直方向に対して２０゜から７０゜の傾斜を持つ細長いスリット状の吸引口を複数設けることを特徴とし，理想的にはその傾斜角を３５゜から５５゜の範囲とすることを特徴とする特許請求範囲１の汚染空気吸引清浄装置．
【請求項３】
吸引口にフィルターを設け，該吸引口直後の風洞内に放電式オゾン発生部を設けることを特徴とする特許請求範囲１の汚染空気吸引清浄装置．
【請求項４】
特許請求範囲１の汚染空気吸引清浄装置を遊技機等の間の狭い空間に設置し，２ｎ台（ｎは整数）の遊技機等で構成される遊技島に２ｎ−２台の汚染空気吸引清浄装置を設置することを特徴とする遊技場用汚染空気吸引清浄システム．
【発明の詳細な説明】
【０００１】
【発明の属する技術分野】
本発明はパチンコホール等の遊技場（以後遊技場等と称する）内において，パチンコ機あるいはスロット機などの遊技機（以後遊技機等と称する）による遊戯中に隣席等の遊技者の喫煙や呼気によるタバコの煙・酒気・口臭等の悪臭による遊技環境悪化を改善するための汚染空気吸引清浄装置に関するものである．
【０００２】
【従来の技術】
遊技場等においては，遊戯機械（以後遊技機と称する．）は多数が隣接されて直線的に設置され，それを背中合わせにして２列を平行に設置し（この一群を島と遊技業界では呼んでいる．以後島と称する．），その島が平行に何列か設置されている（その遊技場の規模によって異なる．また，遊技場のデザインによって若干異なる場合があるが，おおむね同様に構成される．）遊技者はその島と島の間でそれぞれ遊技機に向かっており，背中合わせで遊技機に向かっている各遊技者の間が通路になっている．このような過密な状況で，遊技者による喫煙あるいは飲酒後の遊技者による酒気等によりこの狭い遊技空間の空気環境は劣悪となる．その空間全体の空気汚染もさることながら，隣の遊技者から直接拡散してくるタバコの煙や酒気あるいは口臭は遊技者にとって特に耐え難い環境を生み出している．
【０００３】
遊技場等全体の空気に対しては，天井や壁際に換気装置や空気清浄機等の設備は備え付けてある．しかし天井あるいは壁際に位置するため，その付近の空気の換気や浄化には効果が見られるが，島と島の間の遊技空間における各遊技者の周りの空気環境は改善することができない．ある意味では遊技者そのものが空気の汚染源となりうるので，遊技者すなわち汚染源の近くで直接汚染空気を取り除かなければ，他の遊技者が感じる不快感を改善することは出来ない．
【０００４】
島の上部（遊技機等の上）あるいは壁際に設置する様な小型のイオン発生器やオゾン発生器も販売されているが，遊技者の近くの空気に作用しないので遊技空間で効果があまり感じられない．島の上部に強力な吸引装置を設置する光触媒消臭装置も販売されているが，遊技者から遠い位置に設置される為に明確な効果が現れないことや，更に価格が高い構成であるため普及していない．
【０００５】
遊技機の下方に設置される吸い殻回収システムがありそのシステムにはオゾン脱臭機能が付加されたものもあるが，タバコの吸い殻の回収が目的であるためタバコの煙が拡散しないように積極的に周囲の汚染空気を吸引するものではない．
【０００６】
一方，特開平１０−７１２６３に示されたパチンコ機喫煙遮断用エアカーテン装置は，パチンコ機の横に細い風洞を設け，縦長の風洞から風を吹き出しエアカーテンとすることで，隣の遊技者から放出されるタバコの煙を遮ろうと言う発想である．また，エアカーテンに芳香あるいはオゾンを混合して放出する．しかしこの方式であれば隣り合う遊技者どおしの汚染空気による干渉は減少するが，放出された汚染空気はエアカーテンの気流に乗って後方の通路に移動するのみである．更に後方には別の島の遊技機に向かう遊技者が背中を向けて座っている．後方の遊技者にとっては，その後方から汚染空気が送られてくるので空気環境の悪化が生じる．また，通路を歩いて遊技機を物色する遊技者や遊技場の管理者にとっても非常に劣悪な環境を形成してしまう．特開平１０−７１２６３に示されているように，たとえエアカーテンに芳香やオゾンを含ませてもその様な風が通行中に断続的に体に当たることは通行者には好まれない．芳香は嗜好的な要素が強く通行者や遊技者によって好みが異なるため，あるいは悪臭と混合して更に不快な臭気に変化するため，かえって空気環境改善にはなり得ない．更にオゾンが含まれる場合，オゾンと悪臭が反応するにはある程度時間を要するので，オゾンと悪臭の混合ガスが吹き出されることになり，更に不快な状況が形成される．このような状況によりこの特開平１０−７１２６３の発明は実用化されていない．
【０００７】
【発明が解決しようとする課題】
遊技場等においては，遊戯機は多数が隣接されて直線的に設置され，それを背中合わせにして２列を平行に設置された島が平行に数列設置されている．遊技者はその島と島の間でそれぞれ遊技機に向かっており，背中合わせで遊技機に向かっている各遊技者の間が通路になっている．このような過密な状況で，遊技者による喫煙あるいは飲酒後の遊技者による酒気等によりこの狭い遊技空間の空気環境は劣悪である．その空間全体の汚染もさることながら，隣の遊技者から放出されるタバコの煙や酒気あるいは口臭は遊技者にとって特に耐え難い環境を生み出している．例えば空気汚染物質としてタバコの煙成分を例にとって見る．タバコの煙は，タバコの葉成分や紙巻きタバコの紙成分が燃焼の際に発生する燃焼ガス，部分酸化物及び熱分解成分からなり，それらの非凝縮性物，蒸気（揮発生物），液状粒子（コロイド）などがガスとタール粒子という形で空気中に放出される．タバコの煙の臭気には，このタバコ煙粒子が重要な因子で，タール状の微粒子に収着した物質が空気中に蒸・発散，揮散することで不快な臭気がもたらされる．微細なタール粒子は空気中を滞留し，衣服などや室内の壁面や天井，床面ならびに窓などのあらゆる場所に沈着，付着し，タールの粒子の収着物は揮発度の大きいものから徐々に空気中に揮散するが，その揮発，蒸散が長期間続き，そのにおいは，特有の「焦げ臭」を伴った刺激性があり，喫煙者ですら好ましく感じられないことも多く，「タバコのヤニ臭」と呼ばれるものである．通常，１本の紙巻きタバコから生じるタールの量は１０〜４０ｍｇで，一般的な紙巻きタバコの煙成分の構成は，煙の６０％が気体成分（Ｎ２：７３％，ＣＯ：１０％，ＣＯ２：４．２％，Ｈ２：１％，Ａｒ：０．６％，ＣＨ４：０．６％，その他の約４０種：１．１％）で，ＣＯやＮＯｘ濃度は産業安全基準や大気汚染基準に比べて非常に高い汚染濃度となっている（月間地球環境誌ｐ６６，１２月号，１９９８年）．このように，タール成分による臭気のみ成らず，大気汚染基準を上回るガスが含まれることは大問題である．喫煙する人の人数によって甚だしい事態に成ることは明らかである．
【０００８】
従来技術は遊技場全体の空気を天井あるいは壁際から平均的に換気あるいは浄化するように設計されているため，密に詰まった島と島の間の狭い遊技環境の汚染空気を換気し浄化することが出来ない．従って，少なくとも遊技空間の劣悪な空気環境を改善するためには，この様な汚染空気の淀みを解消する必用がある．すなわち，淀んだ空気を吸引するか，撹拌するなどの方法で空気の流れを形成し，遊技場内に設置されている従来技術を利用した集中浄化装置の効果のある場所まで汚染空気を導かなければならない．更に，各遊技者への配慮という観点から集中的で大規模な装置で島と島の間の遊技空間ごとに大型の空気の吸引手段あるいは撹拌手段を設けるのではなく，遊技者の近くで発生した汚染空気の淀みを遊技者に気を使わせることなく解消する必用がある．また，この淀みを解消するだけでは汚染空気を他の場所に拡散あるいは移動させるだけにすぎず遊技場全体の環境改善には成り得ないため，汚染物質を浄化する手段が必要である．
【０００９】
一方，小型の島置き用として普及しているイオン発生器による空気清浄装置は，送風手段が付属せずイオン風式のものが多い。このタイプは強制的に風を送らないので吸気側にフィルターを付けることができないため、電気的には電気集塵機と同様な原理であることから汚染物質特にタバコの煙の成分を吸着してしまい，短期間で電極部分の掃除あるいは交換を行う必用があった．この掃除あるいは交換を行わなければ，イオンの発生は停止し何ら効果を発揮しなくなる．このため，遊技場の管理者には保守点検の手間が必用以上に発生することに成り，保守の手間の省略あるいはそれを最小限に留めることが大きな課題となっていた．また，風洞を使ったオゾン発生器においても吸引口付近には汚染空気中のタバコの煙吸引する装置に置いては，タバコの煙の液状成分が風洞に吸着され，放出口からは，たばこ臭い臭気を含んだ空気を放出することと成り，更に汚染を拡散する問題点がある．
【００１０】
更に，遊技者の近くでしかも遊技者に配慮した空気清浄手段を講じるためには，並べて設置してある遊技機間の約１１０ｍｍのスペース（遊技場等によって若干異なる）に空気清浄手段を設置する方法がある．しかし，そのスペースの内約４０ｍｍはプリペイドカードあるいは現金を投入し遊技を開始するための装置が占め，残る約７０ｍｍの内約４０ｍｍは島を支える支柱が占める．従って，空気清浄手段に残されたスペースは約３０ｍｍと言うことになる．このような限られた空間に設置できる小型の空気清浄手段を形成し，如何に汚染された空気やタバコの煙を効率よく吸引し，脱臭しながら遊技空間を浄化することが出来るかと言う問題もある．
【００１１】
【課題を解決するための手段】
上記課題を解決するため，遊技機等の横に遊技機等とは別の縦長の風洞を設け，該風洞内部に遠心ブロアーによる吸引機構を設け，遊技機等の横に位置する吸引口より汚染空気を吸引し，風洞内部の吸引口後方に設けたオゾン発生部より発生するオゾンガスと吸引された汚染空気を混合して風洞上方の排出口より上方に向けて放出することを特徴とする汚染空気吸引清浄装置を形成することである．
【００１２】
次に，遊技機等の横に設置された汚染空気吸引清浄装置において，風洞正面の鉛直方向に対して２０゜から７０゜の傾斜を持つ細長いスリット状の吸引口を複数設けることを特徴とし，理想的にはその傾斜角を３５゜から５５゜の範囲とすることを特徴とする上記の汚染空気吸引清浄装置を形成することであり，更に吸引口にフィルターを設け，該吸引口直後の風洞内にオゾン発生部を設けることである．
【００１３】
更には，上記の汚染空気吸引清浄装置を遊技機等の間の狭い空間に設置し，２ｎ台（ｎは整数）の遊技機で構成される島に２ｎ−２台の該汚染空気吸引清浄装置を設置することを特徴とする遊技場用喫煙吸引システムを形成することによって前述の問題点を解決することが出来る．
【００１４】
【実施例】
実施例を，図面を参照して説明する．図１は本発明の汚染空気吸引清浄装置の正面図で，図２は斜視図であり，図３は機能説明のための本発明の構成模式図である．本発明の汚染空気吸引清浄装置は，その効果を発揮するために，遊技機等の間の狭い空間に設置するのが特徴である為，図１に示すように装置としての厚さは非常に薄い．本実施例では，吸引チャンバー（６）の部分を除いて横幅が３０ｍｍである．図２において吸引チャンバー（６）は風洞正面から８０ｍｍ後方に位置し，その部分の横幅もわずか４０ｍｍにすぎない．高さは遊戯装置の規格に合わせることができるが，本実施例では８１０ｍｍであり，奥行きは最大で１９０ｍｍである．図３に示すように，遊技機等の正面パネルとほぼ同一平面に位置する本実施例の汚染空気吸引清浄装置の正面パネルは上下の２枚で構成され，正面パネルＢ（３）は下端に蝶番が取り付けてあり開くように成っている．正面パネルＢ（３）の裏側にはフィルター（１５）を挿入するようにステンレス網のフィルターホルダー（１６）が取り付けてある．汚染空気は，正面パネルＢ（３）に加工されている吸引スリット（４）からフィルター（１５）を通して吸引され，フィルター（１５）の直後に設置されたオゾン発生体（１４）から発生するオゾンと共に風洞（５）を通って，遠心ブロアー（１３）によって減圧状態となった吸引チャンバー（６）に導かれる．その後，オゾンと汚染空気の混合ガスは遠心ブロアー（１３）により強力な遠心力を加えられ撹拌混合され，吹き出しチャンバー（７）を通って正面パネルＡ（２）の吹き出しスリットを通って上向きに放出される．
【００１５】
上記の実施例に置いて，吸引スリットの形態はどのような形でも良い．しかしながら，本発明の汚染空気吸引清浄装置は設置するスペースの制約から吸引力の大きなブロアーやファンあるいはポンプ等を取り付けることができない．許されたスペースは，本実施例では，３０ｍｍから４０ｍｍであるので，吸引機構は４０ｍｍのスペースの許される部分に設置することとし，その部分に３０ｍｍの厚さの遠心ブロアー（１３）を取り付けた．このブロアーの吸引力で，効果的に汚染空気あるいはタバコの煙を吸引するためには，ブロアーの吸引力を効果的に発揮する吸引口が必用である．図４は，正面パネルＢ（３）の吸引口あるいは吸引スリットの検討過程を示している．吸引口を全て金網で構成する場合，開口部が広すぎるため上部の吸引チャンバーに近い一部しか吸引せず吸引効果が目に見えない．一方，図４のＡは金網と比較すると効果があるが，上と下で吸引力に偏りが生じると共に，正面パネルの機械的強度が不足する．更に，心ない遊技者に異物を挿入される心配がある．吸引口は，異物を挿入されないような寸法で構成されなければならない．次にＢのような構成にすると，吸引力の偏りは依然存在するものの，異物対策や機械的強度に関しては改善できる．しかし，吸引の分布や汚染空気の吸引の効率が悪い．これらのことを改善する方法として，図４のＢの吸引スリットをＣの様に鉛直方向にたいし傾斜させることによって汚染空気あるいはタバコの煙を効率的に吸引が出来る．図５にその原理を模式的に示す．図５のＣは図４のＣに対応するが，汚染空気あるいはタバコの煙が漂って来て本発明の汚染空気吸引清浄装置の前を通過する場合，図に示すごとく効率よく吸引することができる．特に傾斜を持たせたことにより，直線的に拡散せず揺らぎながら拡散する汚染空気，特にタバコの煙の揺らぎに対して効果的である．また，正面パネルのわずか３０ｍｍの幅を有効に使うことが出来る．その様な汚染空気の効率的な吸引に関して，隣り合うスリットの位置関係が重要である．図５Ｃのスリット（ｂ）を中心に考えると，スリット（ｂ）の上端はスリット（ａ）の下端と同等の高さに位置すべきで，その上下方向の距離が開かない方が良い．理想的には，スリット（ｂ）の上端はスリット（ａ）の下端よりも高い位置に成るように設計されるべきである．一方，スリット（ｂ）の下端はスリット（ｃ）の上端と同程度の高さに位置すべきで，その上下方向の距離が開かない方がよい．理想的にはスリット（ｂ）の下端はスリット（ｃ）の上端よりも低い位置に成るように形成することによって，正面パネルの前を通過する汚染空気の効率的な吸引が可能となる．しかし，図５のＡやＢの様にスリットの間に隙間がある場合，吸引の効率が悪くなる．本発明は，上記の検討の結果に基づいてなされ，本実施例に置いては図５のＣのように吸引スリットが形成されている．
【００１６】
本発明において，オゾン発生体は，図３に示す様に正面パネルＢ（３）とフィルター（１５）の後ろの風洞（５）内に設置することを特徴とする．通常ならば，オゾン発生体は遠心ブロアー（１３）の後に設置する．なぜなら，オゾンの酸化力によって遠心ブロアー（１３）の軸受け部分の腐食，グリスの酸化，電子部品の酸化あるいはブロアーを構成するプラスティック自身のオゾン劣化が予想されるからである．しかし，本発明はオゾン発生体の設置位置を汚染空気吸引清浄装置の風洞内の最も上流に取り付けることを特徴としている．その目的の一つは，吸引された汚染空気との接触の物理的な時間を長くすることと，オゾンとの汚染物質との衝突回数を増大するためである．
【００１７】
オゾンガスと汚染物質との化学反応は，乾燥雰囲気ではそんなに早く進まない．例えば，Ｈ２ＳとＯ３の化学反応Ｈ２Ｓ＋Ｏ３→Ｈ２Ｏ＋　ＳＯ２の半減期は９，０００分，ＣＨ３ＳＨ＋Ｏ３→ＣＨ３ＯＨ＋ＳＯ２の半減期は２２０分，（ＣＨ３）３ＮＨ＋２Ｏ３→ＣＨ３ＮＨ３＋２ＣＯ２＋２Ｈ２Ｏの半減期は１３０分，ＮＯ＋Ｏ３→ＮＯ２＋Ｏ２の半減期は０．０４６分，Ｏｌｅｆｉｎ＋Ｏ３→ａｌｄｅｈｙｄｅ，　Ｈ２Ｏ，　ＣＯ３，　ｅｔｃの半減期は４〜４００分と反応させる汚染物質によって異なる（新版オゾン利用の新技術，三ゆう書房，ｐ１４３，１９９３年）．このデータは乾燥した環境下でのデータであり実空間で行う場合，雰囲気中に水分が含まれるため空気中の水分が触媒的な働きをして上記の反応はもう少し早く進むものと見られる．しかし，更に反応性を高めるためには，汚染物質とオゾンの接触時間を長くすることであり機械的な衝突頻度を高めることである．吸引された汚染空気と吸入口直後で発生させたオゾンガスは，風洞（５）内で乱流となり混合されながら吸引チャンバー（６）に導かれ，更に遠心ブロアー（１３）の遠心羽根によって強力な遠心力を与えられ強力な撹拌混合状態となり吹き出しチャンバー（７）に放出される．更に吹き出しスリット（１）は，吸引スリット（４）より数が少ないため吹き出しチャンバー（７）内の圧力は上昇する．したがて，本発明の汚染空気吸引清浄装置に吸引された汚染空気は吹き出しスリット（１）から放出されるまでに，オゾンガスと無数に近い衝突を繰り返すことになり，汚染ガスとオゾンガスの化学反応を促進させることが出来る．タバコの煙の内液状成分であるニコチンやタール等は微粒子として漂うが，殆どはフィルター（１５）で除去される．しかし，フィルター（１５）を通過する微粒子や，それらより沸点の比較的低い成分でフィルターを通過した時点で凝縮する成分も存在する．それらは，風洞内に凝縮し風洞内を汚染する．その結果，風洞出口からはやがて悪臭を放つようになる．オゾンを吸引口直後で発生させる目的は，オゾンをその様な汚染物質と入り口付近で接触させることによって，風洞内への凝縮を防ぎ，本装置内を清浄な状態に保つためである．この様にすることによって，本発明の汚染空気吸引清浄装置は，装置内に汚染物質による汚れを発生させることがないので，本装置の保守作業はフィルター（１５）を交換するだけと正面パネルを軽く拭くだけで良く，この装置による管理者の保守に関わる手間は非常に少ない．
【００１８】
図６は，本発明の汚染空気吸引清浄装置を実際に設置した状態の模式図である．遊技機（２０）の両横には，遊技機を開始させるための現金ないしはプリペイドカードを投入する装置と，島を支える支柱（１８）が存在する．支柱（１８）と遊技機（２０）の間の空間に本発明の汚染空気吸引清浄装置を設置する．図７は，遊技場の島に本発明の汚染空気吸引清浄装置を取り付けたシステムを上から見た装置の配置図である．このように，遊技機が本発明の汚染空気吸引清浄装置でサンドイッチされた形態，すなわち本発明の汚染空気吸引清浄システムを島に組み込むことにより，上述の遊技環境の汚染を解消できる．
【００１９】
【発明の効果】
遊技場において，島の遊技機と遊技機の間の空間に本発明の汚染空気吸引清浄装置を設置した汚染空気吸引清浄システムを各々の島に導入することによって，遊技空間すなわち島と島の間の遊技者が並んで遊技している空間の汚染空気はその汚染源の近くで吸引され，装置内のオゾンとの強力混合によって島の上方に放出される．このことから遊技空間の空気環境の改善が行われることができる．更に，本システムのオゾンとの強力混合によって汚染空気は浄化反応（化学反応）しながら遊技空間から島の上方へ向かって流れ，その結果オゾンは遊技場全体に拡散すると同時に遊技場内の汚染を浄化する．このように，本発明の汚染空気吸引浄化装置をシステムとして導入することにより，遊技環境の浄化を可能にする．
【図面の簡単な説明】
【図１】汚染空気吸引清浄装置の正面図である．
【図２】汚染空気吸引清浄装置の斜視図である．
【図３】汚染空気吸引清浄装置の機能説明のための構成模式図である．
【図４】吸引スリットの検討過程を示す．
【図５】吸引スリットの位置と形態の違いと吸引の安定性の原理を示す．
【図６】汚染空気吸引清浄装置を実際に設置した状態の模式図である．
【図７】遊技場の島に本発明の汚染空気吸引清浄装置を取り付けたシステムの装置の配置図である．
【符号の説明】
１　吹き出しスリット
２　正面パネルＡ
３　正面パネルＢ
４　吸引スリット
５　風洞
６　吸引チャンバー
７　吹き出しチャンバー
８　制御部
９　固定金具Ａ
１０　固定金具Ｂ
１１　電源配線
１２　制御回路
１３　遠心ブロアー
１４　オゾン発生体
１５　フィルター
１６　フィルターホルダー
１７　汚染空気吸引清浄装置
１８　支柱
１９　遊技機を開始させるための現金ないしはプリペイドカードを投入する装置
２０　遊技機
【図１】
2004125292.tif 000003
【図２】
2004125292.tif 000004
【図３】
2004125292.tif 000005
【図４】
2004125292.tif 000006
【図５】
2004125292.tif 000007
【図６】
2004125292.tif 000008
【図７】
2004125292.tif 000009